(57)【要約】【課題】  導光板の入射側端面に対向する反対側端面から漏れる光を輝度ムラを発生させずに再利用することにより、光の利用効率を向上することのできる面光源ユニット、電気光学装置、および電子機器を提供すること。【解決手段】  電気光学装置のバックライト装置などとして使用される面光源ユニット３では、導光板３１の入射射側端面３１１に向けてＬＥＤ３３３が配置されている。また、導光板３１に対しては、反対側端面３１１から漏れてくる光を再度、入射側端面３１１から入射させる多数本の光ファイバ４が引き回されている。【選択図】  図３
2005085572.tif 000002
【特許請求の範囲】
【請求項１】
少なくとも、導光板と、該導光板の入射側端面から当該導光板内に光を入射させる光源とを有し、前記導光板の表面側に位置する光出射面から光を出射する面光源ユニットにおいて、
さらに、前記導光板で前記入射側端面に対向する反対側端面から漏れてくる光を再度、前記入射側端面から入射させる再利用用導光部材を有することを特徴とする面光源ユニット。
【請求項２】
請求項１において、前記導光板の表面側あるいは裏面側には、前記入射側端面から入射して光出射面から出射される光の面内光量分布を均一化するための凹凸あるいは塗膜からなる散乱パターンが構成されていることを特徴とする面光源ユニット。
【請求項３】
請求項１または２において、前記再利用用導光部材は、前記入射側側端面のうち、前記再利用導光部材を用いないときに発生する輝度ムラを解消可能な位置および向きに光を再入射させることを特徴とする面光源ユニット。
【請求項４】
請求項１ないし３のいずれかにおいて、前記再利用用導光部材は、多数本の光ファイバであることを特徴とする面光源ユニット。
【請求項５】
請求項４において、前記光源は、点光源であることを特徴とする面光源ユニット。
【請求項６】
請求項４または５において、前記導光板の前記反対側端面には、前記光ファイバの入射側端部が差し込まれた入射側端部保持孔が形成されていることを特徴とする面光源ユニット。
【請求項７】
請求項６において、前記光ファイバの前記入射側端部は、前記入射側端部保持孔に差し込まれた状態で反射性を備えた接着剤により外周面が前記導光板に固定されていることを特徴とする面光源ユニット。
【請求項８】
請求項４ないし７のいずれかにおいて、前記導光板の前記入射側端面には、前記光ファイバの出射側端部が差し込まれた出射側端部保持孔が形成されていることを特徴とする面光源ユニット。
【請求項９】
請求項８において、前記光ファイバの前記出射側端部は、前記出射側端部保持孔に差し込まれた状態で絶縁性の接着剤により前記導光板に固定されていることを特徴とする面光源ユニット。
【請求項１０】
請求項９において、前記絶縁性の接着剤によって、前記光源も前記導光板に固定されていることを特徴とする面光源ユニット。
【請求項１１】
請求項４ないし１０のいずれかにおいて、前記光ファイバの端部は前記導光板内へ差込まれ、前記端部は有効発光エリア外であることを特徴とする面光源ユニット。
【請求項１２】
請求項１ないし１１のいずれかに規定する面光源ユニットに対しては、前記導光板の光出射面側に電気光学パネルが重ねて配置され、
前記面光源ユニットは、当該電気光学パネルに対するバックライト装置として用いられていることを特徴とする電気光学装置。
【請求項１３】
請求項１２に規定する電気光学装置を用いたことを特徴とする電子機器。
【発明の詳細な説明】
【技術分野】
【０００１】
本発明は、液晶パネルなどの電気光学パネルに向けて光を出射する面光源ユニット、この面光源ユニットをバックライト装置として用いた電気光学装置、およびこの電気光学装置を用いた電子機器に関するものである。
【背景技術】
【０００２】
一対の基板間に液晶などの電気光学物質が挟持された透過型あるいは半透過反射型の電気光学パネルを用いた電気光学装置では、電気光学パネルの背面側にバックライト装置としての面光源ユニットが配置され、この面光源ユニットから出射された光を利用して所定の画像が表示される。
【０００３】
面光源ユニットは、少なくとも光源と導光板とを備えており、いわゆるサイドライト型バックライトでは、導光板の端部付近に光源が配置される。従って、光源から出射された光は導光板に端面から入射した後、導光板内で反射を繰り返しながら導光板内を進行し、電気光学パネルと対向する側の面（光出射面）から出射される。
【０００４】
ここで、導光板に入射した光を電気光学パネルと対向する側の面から均一に出射可能なように、導光板自身の表面側（光出射面側）あるいは裏面側には、ドット状あるいはシボ状の凹凸などからなる散乱パターンが光学設計により求められた分布をもって印刷あるいは成形などの方法で構成されている。
【０００５】
このような面光源ユニットにおいて、光源としては、例えば冷陰極管が用いられる。また、電気光学装置を携帯電話機やモバイルコンピュータなどの表示部として用いた場合、このような携帯用電子機器はバッテリ駆動であるため、面光源ユニットには、消費電力が低いことが求められるので、近年、光源としては、ＬＥＤ（発光ダイオード）が用いられることもある（例えば、特許文献１参照）。
【０００６】
また、光源と導光板の入射側端部との間に光ファイバを配置し、光源から出射された光を光ファイバを介して導光板に入射させる構成も提案されている（例えば、特許文献２参照）。
【特許文献１】特開平８−１６０８９２号公報
【特許文献２】特開平７−１２０７５１号公報
【発明の開示】
【発明が解決しようとする課題】
【０００７】
サイドライト型バックライト方式の面光源ユニットでは、導光板に入射した光の一部が入射側端面に対向する反対側端面から光が漏れることを防止できない。このため、導光板において、入射側端面に対向する反対側端面には、例えば、白色や銀色の塗膜を形成するなどの対策が施されるが、このような反射面で反射した光は、導光板に再入射したとしても、電気光学パネルと対向する側の面から均一には出射されないという問題点がある。すなわち、導光板自身の表面側（光出射面側）あるいは裏面側に形成した散乱パターンは、あくまで、光が光源が位置する側から進行してくることを前提とした光学設計により、分布などが求められているため、それと反対側に進行する光に対しては有効ではなく、逆に輝度ムラを発生させる原因になってしまうという問題点がある。
【０００８】
以上の問題点に鑑みて、本発明の課題は、導光板の入射側端面に対向する反対側端面から漏れる光を輝度ムラを発生させずに再利用することにより、光の利用効率を向上することのできる面光源ユニット、この面光源ユニットを用いた電気光学装置、およびこの電気光学装置を用いた電子機器を提供することにある。
【課題を解決するための手段】
【０００９】
上記課題を解決するために、本発明では、少なくとも、導光板と、該導光板の入射側端面から当該導光板内に光を入射させる光源とを有し、前記導光板の表面側に位置する光出射面から光を出射する面光源ユニットにおいて、さらに、前記導光板で前記入射側端面に対向する反対側端面から漏れてくる光を再度、前記入射側端面から入射させる再利用用導光部材を有することを特徴とする。
【００１０】
本発明において、前記導光板の表面側あるいは裏面側には、前記入射側端面から入射して前記光出射面から出射される光の面内光量分布を均一化するための凹凸あるいは塗膜からなる散乱パターンが構成されていることが好ましい。
【００１１】
本発明において、前記再利用用導光部材は、前記入射側側端面のうち、前記再利用導光部材を用いないときに発生する輝度ムラを解消可能な位置および向きに光を再入射させることが好ましい。
【００１２】
本発明において、前記再利用用導光部材は、多数本の光ファイバであることが好ましい。光ファイバであれば、狭いスペース内で導光板の反対側端面から入射側端面に容易に引き回すことができる。
【００１３】
本発明において、前記光源は、ＬＥＤなどの点光源であることが好ましい。ＬＥＤなどの点光源であれば、冷陰極管など比較して、消費電力を低く抑えることができる。
【００１４】
本発明において、前記導光板の前記反対側端面には、前記光ファイバの入射側端部が差し込まれた入射側端部保持孔が形成されていることが好ましい。
【００１５】
本発明において、前記光ファイバの前記入射側端部は、前記入射側端部保持孔に差し込まれた状態で反射性を備えた接着剤により外周面が前記導光板に固定されていることが好ましい。反射性を備えた接着剤によって光ファイバを固定すれば、光ファイバの入射側端部の外周面は、反射性を備えた接着剤によりコーティングされた状態となる。従って、光ファイバの外周面からの光の漏れを防止することができるので、光の再利用効率を高めることができる。
【００１６】
本発明において、前記導光板の前記入射側端面には、前記光ファイバの出射側端部が差し込まれた出射側端部保持孔が形成されていることが好ましい。
【００１７】
本発明において、前記光ファイバの前記出射側端部は、前記出射側端部保持孔に差し込まれた状態で絶縁性の接着剤により前記導光板に固定されていることが好ましい。このような絶縁性の接着剤を用いた場合には、当該接着剤によって記光源も前記導光板に固定し、光源の脱落や位置ずれを防止することが好ましい。
【００１８】
本発明において、前記光ファイバの端部は前記導光板内へ差込まれ、前記端部は有効発光エリア外であることが好ましい。このように構成すると、光ファイバ自体が表示面に出ることを防止することができる。本発明において、前記光ファイバの出射側端部の前記導光板内への差込みは、光の出射光量が著しく低下しているところへ照射できる位置であることが好ましい。
【００１９】
本発明を適用した面光源ユニットは、例えば、電気光学装置において、前記導光板の光出射面側に電気光学パネルが重ねて配置されることにより、当該電気光学パネルに対するバックライト装置として用いられる。
【００２０】
本発明を適用した電気光学装置は、携帯電話機、パーソナル・デジタル・アシスタント、モバイルコンピュータなどといった電子機器などに表示部として搭載される。
【発明の効果】
【００２１】
本発明では、導光板の反対側端面から漏れてくる光は、再利用用導光部材によって、再度、導光板に入射するため、光の利用効率が高い。また、再利用用導光部材は、導光板の反対側端面から漏れてきた光を、再度、導光板の入射側端面から入射させるため、例えば、導光板の表面側あるいは裏面側には、入射側端面から入射して前記光出射面から出射される光の面内光量分布を均一化するための凹凸あるいは塗膜からなる散乱パターンが形成されている場合でも、光出射面から均一に出射される。それ故、導光板の入射側端面に対向する反対側端面から漏れる光を輝度ムラを発生させずに再利用でき、光の利用効率を向上することができる。逆に言えば、その分、光源の駆動電圧を下げることができるので、低消費電力化を図ることができる。さらに、再利用用導光部材を、入射側側端面のうち、再利用導光部材を用いないときに発生する輝度ムラを解消可能な位置および向きに光を再入射させることにより、例えば、点光源を用いた場合に発生しがちが輝度ムラを解消することができる。
【発明を実施するための最良の形態】
【００２２】
図面を参照して、発明を実施するための最良の形態を説明する。
【００２３】
（電気光学装置の全体構成）
図１は、本発明を適用したバックライト付き電気光学装置の全体構成を示す分解斜視図である。図２はそれぞれ、図１に示すバックライト付き電気光学装置の要部の構成を示す断面図である。
【００２４】
図１および図２において、本形態の電気光学装置１は、携帯電話機、ＰＤＡ、パーソナル・デジタル・アシスタント、モバイルコンピュータなどといったバッテリ駆動の電子機器などに表示部として搭載される。
【００２５】
この電気光学装置１は、下ケースを兼ねる金属製の下シールド板２を備えた面光源ユニット３（バックライト装置）、枠状のスペーサ８、下偏光板６１、電気光学パネル５、上偏光板６２、上ケースを兼ねる金属製の上シールド板７をこの順に重ねた構造になっており、いずれの構成要素も概ね、矩形の平面形状を有している。これらの構成要素を下シールド板２と上シールド板７との間に収納するにあたって、本形態では、矩形枠状の樹脂ホルダ９が用いられ、この樹脂ホルダ９の内側に面光源ユニット３、スペーサ８、下偏光板６１、および電気光学パネル５が配置されている。ここで、スペーサ８は、面光源ユニット３と電気光学パネル５との間に所定の隙間を確保している。
【００２６】
上シールド板７には、以下に説明する電気光学パネル５の画像表示領域に対応する大きさの表示窓７１が形成されており、上シールド板７は、電気光学パネル５の画像表示領域の外周領域を覆うとともに、電気光学パネル５を物理的に保護している。
【００２７】
本形態において、電気光学パネル５としては、ＴＦＴアクティブマトリクス型の透過型液晶パネルが用いられている。この種の液晶パネルとしては、周知のものを用いることができるので、詳細な説明を省略するが、画素電極や画素スイッチング素子などを備えた画素がマトリクス状に形成されたＴＦＴアレイ基板５１と、同じく石英ガラスや耐熱ガラスなどの基板の表面に対向電極やカラーフィルタなどがが形成された対向基板５２と、これらの基板を貼り合わせるシール材と、基板間でシール材で区画された領域内に封入、保持されている電気光学物質としての液晶とから概略構成されている
対向基板５２は、ＴＦＴアレイ基板５１よりも小さく、ＴＦＴアレイ基板５１の周辺部分は、対向基板５２の外周縁よりはみ出た状態にある。従って、ＴＦＴアレイ基板５１において、画像表示領域の周囲には、画素スイッチング用のＴＦＴと同時形成された駆動回路用のＴＦＴ（図示せず。）を用いて走査線駆動回路やデータ線駆動回路などを形成することができる。また、ＴＦＴアレイ基板５１において対向基板５２の端部からはみ出した領域に入出力端子を形成しておけば、図１に示すように、これらの入出力端子に対して駆動用ＩＣ５４がＣＯＦ実装された可撓性基板５３を実装することができる。本形態では、可撓性基板５３に対しては、さらに、面光源ユニット３の電源回路などを構成する各種電子部品５５が実装された可撓性基板５６が接続されており、可撓性基板５６の細長く延びた部分５７が、面光源ユニット３のＬＥＤ実装基板３３０に接続されている。
【００２８】
このように構成した電気光学装置１において、電気光学パネル５のＴＦＴアレイ基板５１の側（光入射側）、および対向基板５２の側（光出射側）には、ノーマリホワイトモード／ノーマリブラックモードの別に応じて、プラスチックシートからなる下偏光板６１、および上偏光板６２が所定の向きに配置される。
【００２９】
なお、本形態では、ＴＦＴアレイ基板５１の方からバックライト装置用の面光源ユニット３の光が入射して、対向基板５２の方から出射される構成になっているが、その逆に、対向基板５２の方から光が入射して、ＴＦＴアレイ基板５１の方から出射される構成であってもよい。また、電気光学パネル５としては、ＴＦＴアクティブマトリクス型の透過型液晶パネルの他、ＴＦＤアクティブマトリクス型の透過型液晶パネル、パッシブマトクス型の透過型液晶パネルなどを用いてもよい。また、透過型液晶パネルに限らず、半透過・反射型の液晶パネルを用いてもよい。
【００３０】
（面光源ユニット３の詳細構成）
図３は、図１に示す面光源ユニットの導光板と光ファイバとの位置関係を示す平面図である。図４および図５は、図１に示す面光源ユニットに用いた導光板の反対側端面付近の説明図、および導光板の入射側端面付近の説明図である。
【００３１】
図１および図２において、本形態の電気光学装置１でバックライト装置として用いた面光源ユニット３は、透光性を備えた樹脂成形品からなる矩形の導光板３１と、ガラス−エポキシ基板などの多層配線構造の剛性基板、あるいは多層配線構造の可撓性基板からなるＬＥＤ実装基板３３０を備えた光源部３３とを備えている。面光源ユニット３において、導光板３１の下面側には、反射シート３５および下シールド板２がこの順に重ねて配置されている一方、導光板３１の上面側には、レンズシートや拡散シートなどといったシート状光学部品３７が配置されている。
【００３２】
光源部３３において、ＬＥＤ実装基板３３０としては、細長く切断された基板が用いられ、このＬＥＤ実装基板３３０の上面には、発光素子としての複数のチップ形のＬＥＤ３３３が一列に実装されている。
【００３３】
ここで、ＬＥＤ３３３はいずれも、ＬＥＤ実装基板３３０の実装面と平行な方向に出射光軸を向けている。このため、ＬＥＤ３３３が実装されている面を下向きにＬＥＤ実装基板３３０を配置し、ＬＥＤ３３３を導光板３１の入射側端面３１１に対向させ、かつ、この入射側端面３１１に沿うように配列してある。
【００３４】
本形態の面光源ユニット３において、導光板３１の表面（光出射面３１５）あるいは裏面側には、散乱パターン（図示せず）が形成されている。この散乱パターンは、入射側端面３１１から入射して光出射面３１５から出射される光の面内光量分布を均一化するための凹凸あるいは塗膜からなり、導光板３１の入射側端面３１１の側では粗な分布に形成され、入射側端面３１１に対向する反対側端面３１２の側で密な分布に形成されている。
【００３５】
また、本形態の面光源ユニット３では、図１および図３に示すように、導光板３１で入射側端面３１１に対向する反対側端面３１１から漏れてくる光を再度、入射側端面３１１から入射させる再利用用導光部材として、多数本の光ファイバ４が導光板３１の側方で引き回されている。すなわち、多数本の光ファイバ４は、その入射側端部４１が導光板３１の反対側端面３１１に配置されている一方、出射側端部４２が入射側端面３１１に位置するように引き回されている。
【００３６】
このように光ファイバ４を配置するにあたって、本形態では、図４に示すように、導光板３１の反対側端面３１２には、光ファイバ４の入射側端部４１が差し込まれる入射側端部保持孔３１３が形成され、光ファイバ４の入射側端部４１が入射側端部保持孔３１３に差し込まれた状態で、反対側端面３１２には、反射性を備えた接着剤としての銀ペースト４６が塗布されている。この銀ペースト４６が塗布されている領域については、図４に右下がりの斜線を付して示すように、反対側端面３１２の全面であり、光ファイバ４の入射側端部４１の外周面は、銀ペースト４６によって、導光板３１に固定されている。また、光ファイバ４の入射側端部４１の外周面は、銀ペースト４６によってコーティングされた状態にある。
【００３７】
ここで、入射側端部保持孔３１３は、ＬＥＤ３３３の中心光軸と平行に延びている。また、光ファイバ４の入射側端部４１の導光板３１内への差込み長さは、例えば、数ｍｍから数１０ｍｍであり、光ファイバ４の入射側端部４１は、導光板３１の光出射面３１５のうち、出射光量が略均一で電気光学装置１での表示に実際利用される有効発光エリア３１０外に位置している。
【００３８】
これに対して、図５に示すように、導光板３１の入射側端面３１１には、ＬＥＤ３３３が配置されている位置の間に、光ファイバ４の出射側端部４２が差し込まれる出射側端部保持孔３１４が形成され、光ファイバ４の出射側端部４２が出射側端部保持孔３１４に差し込まれた状態で、入射側端面３１１は絶縁性の接着剤４７でモールドされている。この絶縁性の接着剤４７でモールドされている領域については、図５に一点鎖線で示すように、光ファイバ４の出射側端部４２とともに、ＬＥＤ３３３も含めて、導光板３１の入射側端面３１１を完全にモールド可能な範囲である。
【００３９】
このように、絶縁性の接着剤４７でＬＥＤ３３３をモールドすれば短絡のおそれがなく、かつ、衝撃が加わったときでも、ＬＥＤ３３３の位置ずれや脱落を防止することができる。
【００４０】
ここで、出射側端部保持孔３１４は、ＬＥＤ３３３の中心光軸と平行に延びている。光ファイバ４の出射側端部４２の導光板３１内への差込み長さは、数ｍｍから数１０ｍｍであり、光ファイバ４の出射側端部４２は有効発光エリア３１０外に位置している。
【００４１】
（本形態の作用、主な効果）
このように構成した電気光学装置１において、面光源ユニット３でＬＥＤ３３３を点灯させると、ＬＥＤ３３３から出射された光は、導光板３１に入射し、矢印Ｌ１で示すように、この導光板３１内、あるいは反射シート３５で反射を繰り返しながら導光板３１内を進行し、導光板３１の上面である光出射面３１５（シート状光学部品３７の側）に向かって出射される。そして、シート状光学部品３７に入射した光は、導光板３１自身に形成した散乱パターン、あるいはシート状光学部品３７によって光散乱性が付与されるなどの作用を受けた後、電気光学パネル５に出射される。一方、電気光学パネル５では、画素電極に印加した画像信号によって、液晶の配向状態を画素毎に制御する。例えば、電気光学パネル５をＴＮモードで構成した場合に、液晶は、基板間で９０°の角度をもって捩じれ配向し、このような捩じれ配向は、基板間で液晶に電場をかけることによって解放される。従って、基板間に外部から電場を印加するか否かによって、液晶の配向状態を画素毎に制御することができる。
【００４２】
それ故、電気光学パネル５において、面光源ユニット３から出射された光は、入射側の下偏光板６１によって所定の直線偏光光に揃えられた後、液晶の層に入射し、ある領域を透過する直線偏光光は、透過偏光軸が捩じられて出射される一方、他の領域を通過した直線偏光光は、透過偏光軸が捩じられることなく出射する。このため、入射側の下偏光板６１と出射側の上偏光板６２を互いの透過偏光軸が直交するように配置しておけば（ノーマリホワイト）、電気光学パネル５の出射側に配置された上偏光板６２を通過するのは、液晶によって透過偏光軸が捩じられた方の直線偏光光のみである。これに対して、入射側の下偏光板６１と透過偏光軸が平行になるように出射側の上偏光板６２を配置しておけば（ノーマリブラック）、電気光学パネル５の出射側に配置された上偏光板６２を通過するのは、液晶によって透過偏光軸が捩じられることのなかった直線偏光光のみである。よって、液晶の配向状態を画素毎に制御すれば、任意の情報を表示することができる。
【００４３】
また、本形態では、導光板３１の反対側端面３１２から漏れてくる光は、矢印Ｌ２で示すように、光ファイバ４によって導光板３１の入射側端面３１２に導かれ、入射側端面３１１から再度、導光板３１に入射するため、光の利用効率が高い。
【００４４】
しかも、光ファイバ４は、導光板３１の反対側端面３１２から漏れてきた光を、再度、導光板３１の入射側端面３１２から入射させる。このため、光ファイバ４によって再度、導光板３１に入射した光は、矢印Ｌ３で示すように、ＬＥＤ３３３から直接、導光板３１に入射した光（矢印Ｌ１で示す）と同様、導光板３１の入射側端面３１２から反対側端面３１２に向かう。このため、導光板３の表面側あるいは裏面側に、ＬＥＤ３３３から直接、導光板３１に入射した光に対する散乱パターンが形成されている場合でも、光ファイバ４によって再度、導光板３１に入射した光は、光出射面３１５から均一に出射される。それ故、導光板３１の入射側端面３１１に対向する反対側端面から漏れる光を輝度ムラを発生させずに再利用でき、光の利用効率を向上することができる。逆に言えば、その分、ＬＥＤ３３３の駆動電圧を下げることができるので、低消費電力化を図ることができる。
【００４５】
また、光ファイバ４の入射側端部４１の外周面は、銀ペースト４６によってコーティングされた状態にあるため、光ファイバ４の入射側端部４１の外周面からの光の漏れを防止することができる。
【００４６】
さらに、光ファイバ４については、それを用いないときに発生する輝度ムラを解消可能な位置および向きに光を再入射させることができるので、点光源としてのＬＥＤ３３３のような点光源を用いた場合に発生しがちが輝度ムラを完全に解消することができる。すなわち、ＬＥＤ３３３が配置されている位置の間はＬＥＤ３３３からの光量が少ない部分であるため、ＬＥＤ３３３が配置されている位置の間に光ファイバ４の出射側端部４２を配置すると、輝度ムラを解消できる。また、出射側端部保持孔３１４は、光ファイバ４の外径寸法よりも大きな内径であるため、出射側端部保持孔３１４の内側において、輝度ムラを解消可能な方向に光ファイバ４の出射側端部４２を向かせることもできる。
【００４７】
また、光ファイバ４の出射側端部４２は、有効発光エリア３１０外に位置しているため、光の出射光量が著しく低下している領域に対して光ファイバ４から光をスポット的に照射するように配置した場合でも、光ファイバ４によって暗部が形成されることがない。
【００４８】
このように本形態によれば、ＬＥＤ３３３などの点光源を用いた場合の輝度ムラなどを解消できるので、低い駆動電圧で済むＬＥＤ３３３を光源として用いた場合でも、電気光学装置１で表示される画像の品位が高い。よって、本形態に係る電気光学装置１は、携帯電話機、パーソナル・デジタル・アシスタント、モバイルコンピュータなどといったバッテリ駆動の電子機器においても品位の高い画像を表示できる。
【００４９】
（その他の実施の形態）
なお、上記形態において、光ファイバ４の入射側端部４１および出射側端部４２は、いずれも導光板３１内に差し込まれているが、導光板３１の反対側端面３１２および入射側端面３１１に対向する構成を採用してもよい。
【００５０】
また、上記形態において、光ファイバ４を導光板３１の側方で引き回したが、裏面側で引き回した構成を採用してもよい。
【００５１】
また、上記形態において、光ファイバ４を一列に配置したが、２列以上、配列させた構成を採用してもよい。
【産業上の利用可能性】
【００５２】
本発明では、導光板の反対側端面から漏れてくる光は、再利用用導光部材によって、再度、導光板に入射するため、光の利用効率が高い。また、再利用用導光部材は、導光板の反対側端面から漏れてきた光を、再度、導光板の入射側端面から入射させるため、例えば、導光板の表面側あるいは裏面側には、入射側端面から入射して前記光出射面から出射される光の面内光量分布を均一化するための凹凸あるいは塗膜からなる散乱パターンが形成されている場合でも、光出射面から均一に出射される。それ故、導光板の入射側端面に対向する反対側端面から漏れる光を輝度ムラを発生させずに再利用でき、光の利用効率を向上することができる。逆に言えば、その分、光源の駆動電圧を下げることができるので、低消費電力化を図ることができる。さらに、再利用用導光部材を、入射側側端面のうち、再利用導光部材を用いないときに発生する輝度ムラを解消可能な位置および向きに光を再入射させることにより、例えば、点光源を用いた場合に発生しがちが輝度ムラを解消することができる。
【図面の簡単な説明】
【００５３】
【図１】本発明を適用したバックライト付き電気光学装置の全体構成を示す分解斜視図である。
【図２】図１に示すバックライト付き電気光学装置の要部の構成を示す断面図である。
【図３】図１に示す面光源ユニットの導光板と光ファイバとの位置関係を示す平面図である。
【図４】図１に示す面光源ユニットに用いた導光板の反対側端面付近の説明図である。
【図５】図１に示す面光源ユニットに用いた導光板の入射側端面付近の説明図である。
【符号の説明】
【００５４】
１  電気光学装置、３  面光源ユニット（バックライト装置）、４  光ファイバ（再利用用導光部材）、５  電気光学パネル、３１  導光板、３３  光源部、４１  光ファイバの入射側端部、４２  光ファイバの出射側端部、４６  銀ペースト（反射性を備えた接着剤）、４７  絶縁性の接着剤、５１  ＴＦＴアレイ基板、５２  対向基板、３１０  有効発光エリア、３１１  導光板の入射側端面、３１２  導光板の反対側端面、３１３  入射側端部保持孔、３１４  出射側端部保持孔、３１５  導光板の光出射面、３３０  ＬＥＤ実装基板、３３３  チップ形のＬＥＤ（点光源）
【図１】
2005085572.tif 000003
【図２】
2005085572.tif 000004
【図３】
2005085572.tif 000005
【図４】
2005085572.tif 000006
【図５】
2005085572.tif 000007